(57)【要約】【課題】  テレビやＡＶ機器からの配線が露出して外観を損なうことがなく、ＡＶ機器から発生する熱を収納ユニット外に排出させることができる壁面収納ユニットを提供すること。【解決手段】  前方が開口するとともに後方に背板５を有し、この背板５の前面側にテレビＴを取り付けるためのテレビ取付用パネル７を備えてなるテレビ設置用スペース４と、テレビ設置用スペース４の下部に出入り自在に挿入されるＡＶ機器収納部２とを備えた壁面収納ユニット１であって、ＡＶ機器収納部２は少なくとも天板２ａと地板２ｂと両側板２ｃとを有して箱状に形成されるとともに天板２ａの後方に切り欠き６が設けられてなり、テレビ設置用スペース４の下部にＡＶ機器収納部２を挿入した際、テレビ取付用パネル７が切り欠き６よりも前方に配設されてなるようにする。【選択図】図２
2006041917.tif 000002
【特許請求の範囲】
【請求項１】
前方が開口するとともに後方に背板を有し、この背板の前面側にテレビを取り付けるためのテレビ取付用パネルを備えてなるテレビ設置用スペースと、
前記テレビ設置用スペースの下部に出入り自在に挿入されるＡＶ機器収納部とを備えた壁面収納ユニットであって、
前記ＡＶ機器収納部は少なくとも天板と地板と両側板とを有して箱状に形成されるとともに天板の後方に切り欠きが設けられてなり、
前記テレビ設置用スペースの下部に前記ＡＶ機器収納部を後端位置まで挿入した際、前記テレビ取付用パネルが前記切り欠きよりも前方に配設されてなることを特徴とする壁面収納ユニット。
【発明の詳細な説明】
【技術分野】
【０００１】
本発明は、テレビ及びビデオ等のＡＶ機器を収納することができる壁面収納ユニットに関するものである。
【背景技術】
【０００２】
従来より、リビングルーム等の壁面を利用してテレビ及びビデオ、ＤＶＤ、オーディオ装置等のＡＶ（オーディオビジュアル）機器を外観よく収納する壁面収納ユニットが知られている（例えば、特許文献１）。
【特許文献１】特開２００４−８１５３８公報
【発明の開示】
【発明が解決しようとする課題】
【０００３】
上述のような壁面収納ユニットにおいては、テレビやＡＶ機器の配線が露出して外観を損なうことがなく、また、ＡＶ機器から発生する熱が収納ユニット内にこもらずに、外部に排出されることが要求されている。
【０００４】
本発明は、かかる事由に鑑みてなしたもので、その目的とするところは、テレビやＡＶ機器からの配線が露出して外観を損なうことがなく、ＡＶ機器から発生する熱を収納ユニット外に排出させることができる壁面収納ユニットを提供することにある。
【課題を解決するための手段】
【０００５】
上記課題を解決するために、本発明では、前方が開口するとともに後方に背板を有し、この背板の前面側にテレビを取り付けるためのテレビ取付用パネルを備えてなるテレビ設置用スペースと、前記テレビ設置用スペースの下部に出入り自在に挿入されるＡＶ機器収納部とを備えた壁面収納ユニットであって、前記ＡＶ機器収納部は少なくとも天板と地板と両側板とを有して箱状に形成されるとともに天板の後方に切り欠きが設けられてなり、
前記テレビ設置用スペースの下部に前記ＡＶ機器収納部を挿入した際、前記テレビ取付用パネルが前記切り欠きよりも前方に配設されてなるようにする。
【発明の効果】
【０００６】
上記本発明の壁面収納ユニットでは、テレビ設置用スペースに設置されるテレビとＡＶ機器収納部内に収納されるＡＶ機器とを、配線を露出させることなく接続することができるので、外観を損なうことなくテレビ及びＡＶ機器を収納することができる。
【０００７】
また、ＡＶ機器収納部内に収納されるＡＶ機器から発生する熱を、ＡＶ機器収納部の天板に設けられた切り欠きから外部に排出することができる。
【発明を実施するための最良の形態】
【０００８】
本発明の実施形態における壁面収納ユニット１について、図１〜３に基づいて説明する。本実施形態における壁面収納ユニット１は、リビングルーム等の壁面の一部あるいは全面を利用して設置されるものであり、ＡＶ機器収納部２と、ＡＶ機器収納部２の上方及び左右両側に配設される壁面収納部３とを備えている。
【０００９】
ＡＶ機器収納部２の上方にはテレビ設置用スペース４が設けられており、プラズマテレビや液晶テレビ等の薄型のテレビＴが設置される。
【００１０】
また、ＡＶ機器収納部２の左右両側に配設された壁面収納部３の一部は、スピーカＳを収納するためのスペースとして前面側を開口させて用いている。
【００１１】
テレビ設置用スペース４の周囲には正面視門形状の枠８が配設されており、前方が開口するとともに後方に背板５を有し、この背板５の前面側にテレビを取り付けるためのテレビ取付用パネル７が備えられている。
【００１２】
壁面収納部３は、内部に複数の収納ボックス３ａを備えており、棚板により上下に適宜分割されるようになっている。
【００１３】
ＡＶ機器収納部２は、天板２ａと地板２ｂと両側板２ｃにより箱状に形成されており、背部は開口している。また、前面側の中央部には上下に２段に分割された前扉２ｄを備え、その両側にはガラスがはめ込まれた前扉２ｅを備えている。
【００１４】
ＡＶ機器収納部２の下部にはキャスター２ｆが複数備えられており、これによりＡＶ機器収納部２をテレビ設置用スペース４の下部に出入り自在に挿入することができる。
【００１５】
天板２ａの後方には切り欠き6が設けられており、ＡＶ機器収納部２内の各収納空間と連通している。
【００１６】
テレビＴはテレビ取付用パネル７を介してテレビ設置用スペース４に設置される。テレビ取付用パネル７は中央付近に配線用開口部７ｂを有しており、裏面には上下方向に長い２本の角材７ａが配線用開口部７ｂの左右に設けられている。テレビ取付用パネル７は、これらの２本の角材７ａを介して背板５に取り付けられる。
【００１７】
ここで、テレビ取付用パネル７は、角材７ａの厚みによって背板５と間隔をあけるように設けられており、テレビ設置用スペース４の下部にＡＶ機器収納部２を後端位置まで挿入した際、テレビ取付用パネル７が切り欠き６よりも前方に配設されるようになっている。
【００１８】
ＡＶ機器収納部２内に収納されるＡＶ機器の配線は、この切り欠き６から、テレビ取付用パネル７と背板５と２本の角材７ａにより形成される空間を経由し、配線用開口部７ｂを通ってテレビTと接続される。また、電源線やアンテナ線については、例えば、ＡＶ機器収納部２の後方の背板５を貫通させてＡＶ機器収納部２内に導入しておき、上記と同様にテレビTと接続することができる。
【００１９】
また、テレビ取付用パネル７の上端はテレビ設置用スペース４の頂部よりも低い位置になるように設けられる。すなわち、上記のテレビ取付用パネル７と背板５と２本の角材７ａにより形成される空間は、上部が開口した状態となっている。
【００２０】
これにより、ＡＶ機器収納部２内に収納されるＡＶ機器から発生する熱を、ＡＶ機器収納部２の天板２ａに設けられた切り欠き６から、テレビ取付用パネル７と背板５と２本の角材７ａにより形成される空間を経由し、テレビ取付用パネル７の上部から外部に排出することができる。
【００２１】
また、テレビ取付用パネル７の表面には、壁面収納ユニット１のその他の部材に用いている表面化粧材と同じ色調の表面化粧材を用いている。このため、テレビ取付用パネル７が壁面収納ユニット１内におけるその他の部材と同化するので、違和感をなくすことができる。また、テレビ取付用パネル７としてラワン合板を用いているので、十分な取り付け強度を得ることができる。
【００２２】
以上のように、本実施形態における壁面収納ユニット1は、テレビ設置用スペース４に設置されるテレビＴと、ＡＶ機器収納部２内に収納されるＡＶ機器とを配線を露出させることなく接続することができるので、外観を損なうことなくテレビ及びＡＶ機器を収納することができる。
【００２３】
また、ＡＶ機器収納部２内に収納されるＡＶ機器から発生する熱を、ＡＶ機器収納部２の天板２ａに設けられた切り欠き６から、テレビ取付用パネル７と背板５と２本の角材７ａにより形成される空間を経由し、テレビ取付用パネル７の上部から収納ユニット１外部に排出することができる。
【図面の簡単な説明】
【００２４】
【図１】本発明の実施形態における壁面収納ユニット１の斜視図である。
【図２】同実施形態における壁面収納ユニット１の分解斜視図である。
【図３】同実施形態における壁面収納ユニット１の（ａ）正面図、（ｂ）側面図である。
【符号の説明】
【００２５】
１  壁面収納ユニット
２  ＡＶ機器収納部
３  壁面収納部
４  テレビ設置用スペース
５  背板
６  切り欠き
７  テレビ取付用パネル
【図１】
2006041917.tif 000003
【図２】
2006041917.tif 000004
【図３】
2006041917.tif 000005